(57)【要約】【課題】  ＬＥＤ装着基板をベースに、低コストで利便性の高い誘導用照明装置を提供すること。【解決手段】  導電性金属からなる正極用および負極用の帯板２１、２２、並びに両帯板２１、２２をインサートした射出成形で形成され、両帯板２１、２２を絶縁状態で一体に保持する樹脂部２４を有する帯状基板２と、帯状基板２の一面に、帯状基板２の延びる方向に離間して配置され、それぞれが正負双方の帯板２１、２２に電気的に接続された複数のＬＥＤ３とからなり、複数のＬＥＤ３が、誘導方向を表示する態様で点灯することを特徴とする誘導用照明装置１である。【選択図】図１
2013254655.tif 000002
【特許請求の範囲】
【請求項１】
導電性金属からなる正極用および負極用の帯板、並びに両帯板をインサートした射出成形で形成され、両帯板を絶縁状態で一体に保持する樹脂部を有する帯状基板と、
前記帯状基板の一面に、帯状基板の延びる方向に離間して配置され、それぞれが前記正負双方の帯板に電気的に接続された複数のＬＥＤとからなり、
前記複数のＬＥＤが、誘導方向を表示する態様で点灯することを特徴とする誘導用照明装置。
【請求項２】
前記誘導方向を表示する態様が、前記帯状基板の伸びる方向に離間して配置される複数のＬＥＤのピッチを不等配にすることにより形成されることを特徴とする請求項１に記載の誘導用照明装置。
【請求項３】
前記誘導方向を表示する態様が、前記帯状基板の伸びる方向に離間して配置される複数のＬＥＤの発光色を変化させることにより形成されることを特徴とする請求項１又は請求項２に記載の誘導用照明装置。
【請求項４】
前記誘導方向を表示する態様が、前記帯状基板の伸びる方向に離間して配置される複数のＬＥＤの光度を変化させることにより形成されることを特徴とする請求項１〜３のいずれか１項に記載の誘導用照明装置。
【請求項５】
前記誘導方向を表示する態様が、前記帯状基板の先端に接続された表示板に略矢印状に配置された複数のＬＥＤにより形成されることを特徴とする請求項１〜４のいずれか１項に記載の誘導用照明装置。
【請求項６】
前記帯状基板のインサート射出成形された樹脂部に、前記正極用および負極用の帯板に加えて信号配線用の帯板を含むことを特徴とする請求項１〜５のいずれか１項に記載の誘導用照明装置。
【請求項７】
二以上の帯状基板を、コネクタを介して電気的に接続した請求項１〜６のいずれか１項に記載の誘導用照明装置。
【請求項８】
前記複数のＬＥＤを正極用および負極用の帯板に並列接続したことを特徴とする請求項１〜７のいずれか１項に記載の誘導用照明装置。
【請求項９】
前記誘導用照明装置が非常用照明に使用されることを特徴とする請求項１〜８のいずれか１項に記載の誘導用照明装置。
【発明の詳細な説明】
【技術分野】
【０００１】
本発明は、複数のＬＥＤを装着した誘導用照明装置に関する。
【背景技術】
【０００２】
ＬＥＤを装着するための基板の一例が特許文献１に記載されている。この基板は、導電性金属からなる正極用および負極用の帯板、並びに両帯板をインサートして射出成形され、両帯板を絶縁状態で一体に保持する樹脂部を有する。この基板の一面には、その延びる方向に離間して複数の発光ダイオード（ＬＥＤ）が装着される。
【０００３】
この基板は、金属製帯板に樹脂をインサート成形して絶縁部を形成し、プリント基板を用いないため製作工程が簡単で低コストで製造が可能であると共に、リール巻き状態での連続基板の保管や搬送が可能である、等の面で優れたものである。
【先行技術文献】
【特許文献】
【０００４】
【特許文献１】特開２０１１−１４６１８７号公報
【発明の概要】
【発明が解決しようとする課題】
【０００５】
しかしながら、特許文献１記載の基板は、既存の蛍光灯の代替品を提供するためのものにすぎない。すなわち、特許文献１記載の発明は、上記基板を、使用する蛍光管の長さ、形状により決定される定寸に切断してから蛍光管の内部に封入することで、既存蛍光灯と同サイズのＬＥＤタイプ蛍光灯を製作することを企図したものである。しかし、近年の新たな市場需要に対応できる商品として、更なる付加価値を高めるための検討には至っていない。
【０００６】
上記問題に鑑み、本発明は、上記タイプのＬＥＤ装着基板をベースに、低コストで利便性の高い誘導用照明装置を提供することを目的とする。
【課題を解決するための手段】
【０００７】
本発明者らは、上記タイプの基板を発展させて、社会的貢献度や利便性において高い付加価値を有する誘導用照明装置を提供するという新たな商品コンセプトを着想し、本発明に至った。
【０００８】
上記の目的を解決する技術的手段として、本発明に係る誘導用照明装置は、導電性金属からなる正極用および負極用の帯板、並びに両帯板をインサートした射出成形で形成され、両帯板を絶縁状態で一体に保持する樹脂部を有する帯状基板と、前記帯状基板の一面に、帯状基板の延びる方向に離間して配置され、それぞれが前記正負双方の帯板に電気的に接続された複数のＬＥＤとからなり、前記複数のＬＥＤが、誘導方向を表示する態様で点灯することを特徴とする。
【０００９】
本発明に係る誘導用照明装置は、誘導用照明装置の低コストと利便性に加えて、誘導用照明装置が薄肉であるため、構造体に取り付けた際の美観低下を最小限に抑えることができ、構造体が本来有する機能を害することもない。そのため、誘導用照明装置の取り付け位置の自由度が大幅に向上する。また、本発明の誘導用照明装置は、地震発生時や火災発生時等の非常用としても好適である。
【００１０】
具体的には、上記の誘導方向を表示する態様は種々のものが可能であるが、最も簡単なものとして、帯状基板の延びる方向に離間して配置される複数のＬＥＤのピッチを不等配にすることにより形成することができる。この場合には、ＬＥＤのピッチを帯状基板に不等配に装着するだけで形成することができる。また、一般住居で使用する場合には、住居者個人の好みに応じたＬＥＤのピッチ設定とすることができる。
【００１１】
誘導方向を表示する他の態様として、帯状基板の延びる方向に離間して配置される複数のＬＥＤの発光色を変化させることにより形成されることができる。例えば、帯状基板の延びる方向の先端側を誘導方向として青色ＬＥＤを装着し、基部側に赤色ＬＥＤを装着し、中間部分に黄色ＬＥＤを装着することにより誘導方向を表示する態様とすることができる。一般住居で使用する場合には、住居者個人の好みに応じた発光色のＬＥＤを設定することができる。
【００１２】
また、誘導方向を表示する態様として、帯状基板の延びる方向に離間して配置される複数のＬＥＤの光度を変化させることにより形成することもできる。例えば、帯状基板の伸びる方向の先端側を誘導方向としてＬＥＤの光度を先端側へ向けて徐々に大きくすることにより誘導方向を表示する態様とすることができる。
【００１３】
さらに、誘導方向を表示する態様として、帯状基板の先端に接続された表示板に略矢印状に配置された複数のＬＥＤにより形成することができる。この場合には、誘導方向の表示が一目瞭然となり好ましい。
【００１４】
上述した誘導方向を表示する態様は、個々に使用することができるが、これに限られず、二つ以上の態様を適宜組み合わせて使用することもできる。
【００１５】
上記の誘導用照明装置は、二以上の帯状基板を、コネクタを介して電気的に接続して構成することができる。この場合には、帯状基板のインサート射出成形された樹脂部に、正極用および負極用の帯板に加えて信号配線用の帯板を含んだ帯状基板を使用することが便利である。これにより、需要者のニーズに応じた任意の長さの誘導用照明装置を簡単に構成することができる。上記に限られず、エンドユーザが自由に切って使えるよう長いまま供給することも可能である。また、一つの帯状基板と電池を備えた一つのコネクタという構成も可能である。
【００１６】
上記の複数のＬＥＤを正極用および負極用の帯板に並列接続することにより、誘導用照明装置をより一層簡素化でき、低コスト化を図ることができる。複数のＬＥＤを電池に並列接続すれば、基板の製作後にこれを長さ方向の適所で切断しても断線は生じず、各ＬＥＤを点灯させることができる。従って、量販店において基板を切り売りするような販売態様を採用することも可能となる。また、上記基板を接続するコネクタの夫々に電池を入れることで並列接続とし、断線対策や照明時間の延長を図ることができる。
【発明の効果】
【００１７】
本発明によれば、誘導用照明装置の低コストと利便性に加えて、誘導用照明装置が薄肉であるため、構造体に取り付けた際の美観低下を最小限に抑えることができ、構造体が本来有する機能を害することもない。そのため、誘導用照明装置の取り付け位置の自由度が大幅に向上する。また、一般住居で使用する場合には、誘導方向を表示する態様を住居者個人の好みに応じた設定とすることができる。さらに、本発明の誘導用照明装置は、地震発生時や火災発生時等の非常用としても好適である。
【図面の簡単な説明】
【００１８】
【図１】本発明の第１の実施形態に係る誘導用照明装置を示す平面図である。
【図２】帯状基板を拡大して示す平面図である。
【図３】図２中のＸ−Ｘ線における縦断面図である。
【図４】図２中のＹ−Ｙ線における横断面図である。
【図５】ＬＥＤチップを示す斜視図である。
【図６】誘導用照明装置の回路図である。
【図７】帯状基板の製作工程を示す平面図である。
【図８】誘導方向を表示する態様を説明する平面図である。
【図９】誘導用照明装置の取り付け例を示す横断面図である。
【図１０】本発明の第２の実施形態に係る誘導用照明装置を示す平面図である。
【図１１】誘導方向を表示する態様を説明する平面図である。
【図１２】本発明の第３の実施形態に係る誘導用照明装置を示す平面図である。
【図１３】本発明の第４の実施形態に係る誘導用照明装置を示す平面図である。
【図１４】図１３中のＩ−Ｉ線における断面図である。
【図１５】本発明の第５の実施形態に係る誘導用照明装置のコネクタを示す概略図である。
【図１６】帯状基板を示す平面図である
【図１７】誘導用照明装置の回路図である。
【図１８】帯状基板の変形例を示す平面図である。
【発明を実施するための形態】
【００１９】
以下に本発明の実施の形態を図面に基づいて説明する。
【００２０】
本発明の第１の実施形態に係る誘導用照明装置を図１〜９に基づいて説明する。図１に示すように、誘導用照明装置１は、帯状基板２と、帯状基板２の延びる方向に離間して配置された複数のＬＥＤチップ３と、ＬＥＤチップ３に電力を供給する電源部４とを備えている。
【００２１】
帯状基板２は、図２〜図４に示すように、平行に配置した二枚の帯板２１、２２を樹脂部２４で一体に保持した帯板状の形態を有する。二枚の帯板２１、２２は、何れも厚さ０．０１ｍｍ〜３ｍｍ程度（例えば０．１ｍｍ）の可撓性に富む導電性金属（例えば銅板、アルミ板、ステンレス鋼板）で形成される。二枚の帯板２１、２２の一端には、電源部４に接続するための端子２３が形成されている。帯板２１、２２の表面には、必要に応じて錫メッキ等で導電性の金属被膜を形成することもできる。
【００２２】
樹脂部２４は、端子２３を除く帯板２１、２２の両面をその軸方向全体にわたって被覆し、かつ二枚の帯板２１、２２間の隙間を充足している。この樹脂部２４は、後述のように帯板２１、２２をインサートして射出成形することで形成される。樹脂材料は、誘導用照明装置１の使用条件に応じて任意に選択することができ、例えばＬＣＰやＰＰＳ、ＰＯＭ、ＰＥＥＫ等が使用可能である。
【００２３】
樹脂部２４には、帯板２１、２２の延びる方向に沿って適宜（等ピッチあるいは不等ピッチ）複数の窓部２６が形成される。この実施形態では窓部２６が等ピッチで形成されたものを図示している。窓部２６は、二枚の帯板２１、２２の間で帯状基板２の一方の面（ＬＥＤチップ３の装着側の面である。以下「表面」と称する。）および他方の面（以下、「裏面」と称する）に開口している。窓部２６内には二枚の帯板２１、２２の各内縁部が突出しており、突出した帯板２１、２２の内縁部よりも表面側では、窓部２６の内面がＬＥＤチップ３を収容できる形状になっている。窓部２６内に突出した帯板２１、２２の内縁部は端子２７として機能し、これをＬＥＤチップ３の端子３２（図５参照）に接触させることでＬＥＤチップ３への電力供給を行うことが可能となる。また、樹脂部２４のうち、二枚の帯板２１、２２間の領域には、複数の取り付け孔２８が適宜の間隔で形成されている。図２および図３では、取り付け孔２８が裏側まで貫通して形成したものを示すが、これに限られず、裏側まで貫通しない形態でもよい。
【００２４】
図３および図４に示すように、樹脂部２４の表面では、窓部２６および取り付け孔２８の周囲が他所よりも盛り上がっている。この盛り上がり部分２６ａ、２８ａを除き、樹脂部２４は均一な厚さＴ１を有する。図３中の矢印Ｗで示すように、帯状基板２をその表面側を凸として湾曲可能とするため、樹脂部２４の各部の厚さは極力薄くする。具体的には、樹脂部２４の上記肉厚Ｔ１は０．３ｍｍ〜１．５ｍｍ程度（例えば１ｍｍ）、最大肉厚となる盛り上がり部２６ａ、２８ａの厚さＴmaxは１．５ｍｍ〜４ｍｍ程度（例えば２ｍｍ）とする。樹脂部２４の裏面は、凹凸のない平坦面である。
【００２５】
ＬＥＤチップ３としては、図５に示すような表面実装型（あるいはチップ型）と呼ばれるものが使用される。ＬＥＤチップ３の構成・形態は任意であり、図５では、複数（図示例では３つ）の発光素子３１を有するマルチチップであって、薄肉の直方体状にパッケージングされたＬＥＤチップ３を例示している。マルチチップの他に、シングルチップも使用可能である。また、チップ型の他に砲弾型も使用可能である。ＬＥＤチップ３は、発光素子３１の数に対応した一対もしくは複数対の端子３２を有する。端子３２は断面Ｌ字型をなし、ＬＥＤチップ３の中央部付近から外部に突出し、側面および底面に沿うように延びてチップ外周に端子３２を有する。
【００２６】
このＬＥＤチップ３は、図３に示すように、樹脂部２４の窓部２６内に一つずつ嵌め込むこともしくは半田付けで帯状基板２に装着される。この際、ＬＥＤチップ３の端子３２を窓部２６内に突出した帯板２１、２２の端子２７に接触させることで、帯板２１、２２とＬＥＤチップ３の端子３２との間での通電性が確保される。帯板２１、２２の端子２７をプレス加工等により弾性変形可能な形状に加工し、さらに帯状基板２側にＬＥＤチップ３と係合する抜け止め構造を設けることで、端子２７、３２同士を圧接させて通電状態の安定化を図ることができる。抜け止め構造は、例えば樹脂部２４の窓部２６内面にＬＥＤチップ３の外装面に対する締め代を持たせ、あるいは帯板２１、２２にプレス加工等でＬＥＤチップ３の端子３２の上面３２ａ（図４および図５参照）と係合する係合部を形成することで構成することができる。人が踏みつけるような場所に用いる照明器具においてはＬＥＤチップ３の装着後は、ＬＥＤチップ３の上面レベルを、樹脂部２４の盛り上がり部２６ａの上面と同レベル（図４参照）とし、もしくは盛り上がり部２６ａの上面よりも低くするのが好ましい。
【００２７】
図２では、一部の窓部２６にＬＥＤチップ３をはめ込んでいないが、これは端子２７を図面上に明示することで帯状基板２の構成を明確化するためであり、後述する誘導方向を表示する態様に従って、所定の窓部２６にＬＥＤチップ３がはめ込まれる。
【００２８】
図６に本実施形態の誘導用照明装置１の回路図を示す。この誘導用照明装置１は非常用に使用される例を示す。図示のように、この回路には、電源部４および本体部５が設けられる。電源部４は、直流電源としての電池４１と、スイッチ４２と、スイッチ４２の開閉を制御するスイッチ制御部４３と、スイッチ制御部４３の入力側に接続された検知部４４とを備える。電池４１としては、一次電池および二次電池のどちらも使用可能である。二次電池を使用する場合は、電池４１に商用電源あるいは太陽電池等を接続して充電可能に構成する。検知部４４は、外乱の有無を検知するもので、その代表例としてセンサを用いることができる。センサの種類は検知対象となる外乱の種類に応じて任意に選択することができ、一例としては振動センサ、温度センサ、あるいは人感センサの何れかを使用することが可能である。
【００２９】
本体部５は、二つの帯板２１、２２と帯板２１、２２間で並列接続されたＬＥＤチップ３とで構成される。電池４１の正極側が一方の帯板２１の端子２３に接続され、電池４１の負極側がスイッチ４２を介して他方の帯板２２の端子２３に接続されている。スイッチ４２は電池４１の正極側に配置することもできる。以上の構成から、一方の帯板２１が本体部５の正極側配線５１となり、他方の帯板２２が本体部５の負極側配線５２となる。ＬＥＤチップ３を並列接続することにより、上記のように一部の窓部２６へのＬＥＤチップ３の装着を省略した場合でも、窓部２６に装着したＬＥＤチップ３を点灯させることが可能となる。帯板を形状変更することで回路変更し、全ての窓部２６にＬＥＤチップ３を装着する場合には、ＬＥＤチップ３を直列に接続することもできる。図６では、電流制限抵抗４５は正極側の帯板２１との間に設置したが、電池４１と負極側の帯板２２との間、電池４１とスイッチ４２の間のいずれに設置してもよい。
【００３０】
以上に述べた誘導用照明装置１は、以下の手順で製作することができる。
【００３１】
先ず、図７に示すように、間隔をあけて平行にガイドした二枚の帯板２１、２２を射出成形機７に所定ピッチで間欠的に送り込み、型内に樹脂を射出することで樹脂部２４を形成する。これにより、二枚の帯板２１、２２を樹脂部２４で一体に保持し、かつ二枚の帯板２１、２２間を樹脂部２４で絶縁した帯状基板２が得られる。帯板２１、２２をプレス加工により打ち抜き、あるいは塑性変形させることもでき、その場合には、射出成形機７への送り込み前にこれらの加工が行われる。その場合には、射出成型機７への送り込み前でも、射出成型機内でもこれらの加工を行うことができる。
【００３２】
次いで射出成形機７から搬出された帯状基板２の窓部２６にＬＥＤチップ３を装着する。ＬＥＤチップ３を装着した基板２は順次巻き取ってロール状にし、後加工工程に移送する。後加工工程では、基板２をロールから引き出して所定寸法に切断し、さらに樹脂部２４の一端を除去して端子２３を露出させる（図２参照）。予め使用長さが分かっている場合には端子２３の部分の樹脂成形を行わず、露出したままで端子２３とする。その後、帯状基板２の端子２３に電源部４を接続することで誘導用照明装置１が完成する。なお、電源部４の帯状基板２への接続はエンドユーザーが行うこともできる。ＬＥＤチップ３の取外しあるいは装着をエンドユーザ等が行うことも可能である。
【００３３】
図７では、分離された状態の二枚の帯板２１、２２を射出成形機７に供給する構成を例示したが、一枚の帯板を順送りして射出成形機７の直前で切断し、帯板を二つに分断してからこれらを射出成形機７に供給することもできる。また、前記特許文献１と同様に、一枚の帯板を射出成形機７に供給し、樹脂部２４の形成後に樹脂部２４と共に帯板２１、２２の所定箇所を打ち抜いて二枚の帯板２１、２２に分断することもできる。
【００３４】
次に本実施形態の誘導用照明装置１の特徴である誘導方向を表示する態様について、図８に基づいて説明する。帯状基板２の窓部２６にＬＥＤチップ３を不等配に装着する。具体的には、矢印Ａを誘導方向とすると、図示の丸印Ｂの部分の窓部２６にＬＥＤチップ３が装着され、図の左側から右側に向けてＬＥＤチップ３の配置ピッチが順次縮小されている。これにより、ＬＥＤチップ３が蜜に点灯する矢印Ａの方向が誘導方向であることが視覚できる。
【００３５】
図８では、ＬＥＤチップ３の不等配のパターンを一巡で形成したものを示したが、ＬＥＤチップ３の不等配のパターンを適宜回数繰り返して形成することもできる。このように誘導方向を表示する態様をＬＥＤチップ３のピッチを不等配に装着するだけで簡単に形成することができる。この場合のＬＥＤの発光色は任意であり、例えば、白色を使用することができる。また、一般住居で使用する場合などには、住居者個人の好みに応じたＬＥＤチップ３のピッチ設定とすることができる。
【００３６】
誘導用照明装置１を構造体８に取り付ける際には、図９に示すように、構造体８の表面に溝８１を形成し、誘導用照明装置１を溝８１内に収容する。ついで、取り付け孔２８（図２参照）から木ネジやタッピングねじ等のねじ部材を挿入し底面８２（被装着面）にねじ込むことで、誘導用照明装置１を溝８１の底面８２（被装着面）に取り付ける。取り付け後は、樹脂部２４のフラットな裏面（取り付け面２９）の全体が溝８１の底面８２に密着する。その後、端子２３に接続した電源部４を適所に設置することで誘導用照明装置１の取り付けが完了する。同図中に二点鎖線で示すように、誘導用照明装置１を溝８１に取り付けた後で、透明樹脂等からなるカバー８３を溝８１に取り付けて誘導用照明装置１を封止すれば、美観を改善し、さらには水滴や異物による短絡防止を図ることもできる。封止剤は樹脂や金属等との密着性に優れるもの（例えばアクリル系接着剤、エポキシ系接着剤、ＵＶ硬化型接着剤）が好ましい。
【００３７】
誘導用照明装置１を取り付ける構造体８としては、劇場等の公共施設や家屋内の廊下、階段の踏み込み面や蹴り上げ面、壁面等が考えられる。この他、縁石やガードレールといった屋外構造物の壁面に誘導用照明装置１を装着することもできる。誘導用照明装置１の取り付けは、上記のようにネジで行うほか、両面テープ等で樹脂部２４の取り付け面２９を被装着面に貼着することで行うこともできる。特に不具合がなければ、溝８１を形成することなく誘導用照明装置１を構造体の表面（被装着面）に直付けしても構わない。
【００３８】
本実施形態の誘導用照明装置１は非常用の例のため、図６に示すように、常時はスイッチ制御部４３によりスイッチ４２が開いた状態（スイッチオフ）に保持される。この状態では、電源部４および本体部５に電流が流れず、各ＬＥＤは消灯状態にある。一方、外乱の発生による非常時への移行を検知部４４が検知すると、その信号がスイッチ制御部４３に入力され、これを受けて電源部４のスイッチ４２が閉じられる（スイッチオン）。これにより、電源部４および本体部５に電池４１からの電流が流れ、各ＬＥＤチップ３が点灯する。そのため、停電した場合でも照明を確保することができる。検知部４４に振動センサを使用すれば地震発生時の誘導用照明装置１として利用することができ、温度センサを使用すれば火災発生時の誘導用照明装置１として使用することができる。上記のような振動センサ、温度センサに限られず、地震発生の情報として緊急地震速報を受信して利用することや、火災発生の情報として無線式火災報知機からの情報を利用することも好ましい。また、検知部４４に人感センサを使用すれば、歩行者の接近時にのみ点燈する誘導用照明装置１として使用することができる。本実施形態の誘導用照明装置１は、非常用の例を示したが、本誘導用照明装置１は、非常用に限られず、常時点灯するものにも適用できる。この場合には商用電源を利用することができる。
【００３９】
以上に述べた誘導用照明装置１によれば、帯状基板２自体が薄肉であるため、照明装置１全体の厚さを薄肉（数ｍｍ程度）にできる。そのため、構造体８に取り付けた場合でも構造体８の美観を害さず、また、構造体８の設置面が有する本来の機能（例えば通路としての機能）を損なうことがない。既存の非常灯の類は一般に大型であり、歩行の障害とならないようその取り付け位置は天井や廊下のコーナー部等に限定されるが、本実施形態の誘導用照明装置１であれば、廊下の中央部等、既存品では設置不能な場所にも取り付けることができる。従って、取り付け位置の自由度が向上し、誘導用照明装置１の新たな使用形態を実現することが可能となる。適当なカバ―を用いることで防水や破損防止などを図ることができるのはもちろんであるが、照明装置１の厚さが薄いため、カバーを装着してもなお、薄肉小型とすることができる。
【００４０】
また、正極側の帯板２１および負極側の帯板２２が樹脂部２４で被覆されて絶縁状態にあるため、水や異物による両帯板２１、２２間の短絡を確実に防止できる。そのため、基板２にＬＥＤを装着するだけで、これをそのまま構造体８に設置することができる。また、電池４１、スイッチ４２、スイッチ制御部４３、および検知部４４を配線して予め電源部４を完成させておけば、帯状基板２の端子２３に電源部４を接続するだけで誘導用照明装置１を作動させることができ、複雑な配線工事が不要となる。そのため、誘導用照明装置１の取り付け作業を簡略化でき、エンドユーザによって構造体に取り付けることも可能となる。なお、帯板２１、２２間等で短絡を生じた場合でも、数Ｖ程度で点灯するＬＥＤチップ３用の電極が低電圧であるため、安全性の面でも特段の問題は生じない。
【００４１】
正極側および負極側の帯板２１、２２のそれぞれで前記一方側の面（表面）と他方側の面（裏面）とを樹脂部２４で被覆し、他方側の面を被覆する樹脂部２４に、構造体８に取り付けるための取り付け面２９を設ければ、帯状基板２を構造体８に取り付けた際にも構造体８を介した帯板２１、２２間の短絡を防止することができる。
【００４２】
本実施形態のように各ＬＥＤチップ３を並列接続すれば、帯状基板２の製作後にこれを長さ方向の適所で切断しても断線は生じず、各ＬＥＤを点灯させることができる。従って、小売店において帯状基板２を切り売りするような販売態様を採用することも可能となる。
【００４３】
次に、本発明の第２の実施形態を図１０および図１１に示す。この実施形態では、第１の実施形態に比べて、帯状基板２の窓部２６、２６のピッチ間隔を短くし、より多くのＬＥＤチップ３が装着できるようにしている点と誘導方向を表示する態様として、帯状基板２の延びる方向に離間して配置される複数のＬＥＤチップ３の発光色を変化させることにより形成している点が異なる。図１０に示すように、帯状基板２に形成された窓部２６、２６間の寸法を短くし、ＬＥＤチップ３の装着できる個数を多くしている。そして、この帯状基板２に誘導方向を表示する態様として、複数のＬＥＤチップ３の発光色を変化させている。
【００４４】
具体的には、図１１に示すように、帯状基板２の延びる方向の先端側の範囲Ｅの部分を誘導方向として青色ＬＥＤチップ３を装着し、基部側の範囲Ｃの部分に赤色ＬＥＤチップ３を装着し、中間部分の範囲Ｄに黄色ＬＥＤチップ３を装着することにより誘導方向を表示する態様とすることができる。この場合には、ＬＥＤチップ３の発光色の変化により矢印Ａの方向が誘導方向であることが視覚できる。この実施形態においても、この誘導用照明装置１を一般住居で使用する場合などには、住居者個人の好みに応じた発光色のＬＥＤを設定することができる。その他の構成については、第１の実施形態と同様であるので、同様の機能を有する部位には同じ符号を付して重複説明を省略する。以降の実施形態においても同様とする。
【００４５】
本発明の第３の実施形態を図１２に示す。この実施形態の帯状基板２は第２の実施形態と同じものである。第２の実施形態に比べて、誘導方向を表示する態様を、帯状基板２に配置される複数のＬＥＤチップ３の光度を変化させることにより形成している点が異なる。具体的には、図１２に示すように、帯状基板２の延びる方向の先端側の範囲Ｈの部分を誘導方向として光度の高いＬＥＤチップ３を装着し、基部側の範囲Ｆの部分に光度の低いＬＥＤチップ３を装着し、中間部分の範囲Ｇに中間的な光度のＬＥＤチップ３を装着することにより誘導方向を表示する態様とすることができる。この場合には、ＬＥＤチップ３の光度の変化により矢印Ａの方向が誘導方向であることが視覚できる。この実施形態においても、この誘導用照明装置１を一般住居で使用する場合などには、住居者個人の好みに応じた発光色のＬＥＤを設定することができる。
【００４６】
本発明の第４の実施形態を図１３に示す。この実施形態は、誘導方向を表示する態様として、帯状基板の先端に接続された表示板に略矢印状に配置された複数のＬＥＤにより形成したものである。図１３に示すように、帯状基板２の先端に接続する表示板６０に略矢印状に窓部６１を形成し、この窓部６１にＬＥＤチップ３を装着している。表示板６０は帯状基板２の正極用の帯板２１および負極用の帯板２２に接続されている。図中に破線で示す正極用の帯板２１に接続された表示板６０の端子６２と負極用の帯板２２に接続された表示板６０の端子６３は、一枚の幅広の板材をプレス加工により打ち抜き、帯状基板２の製作手順と同様に端子６２および６３を射出成形機７（図７参照）の型内に配置し、樹脂を射出することで樹脂部６４を形成する。窓部６１には帯状基板２の窓部２６と同様、表示板６０の端子６２、６３が突出して形成され、ＬＥＤチップ３の端子３２と接触している。
【００４７】
図１３では、中央に配置される窓部６１ａの端子６２、６３は、帯状基板２の帯板２１、２２と正極と負極の左右配置（図示では上下配置）が同じであるが、外側の窓部６１ｂ、６１ｃでは、板状の端子６２、６３の形状から、正極と負極の左右配置が逆転している。このため、外側の窓部６１ｂ、６１ｃにはＬＥＤチップ３の端子３２（図５参照）を逆向きに装着する。
【００４８】
正極用の板状の端子６２の連絡部分６２ａは、帯状基板２の負極用の帯板２２を跨いで外側に延びている。その状態を図１４に示す。図１４は図１３のＩ−Ｉ線における断面図である。図のように、帯状基板２の負極用の帯板２２に短絡しないように端子６２の連絡部分６２ａは一部分が図面の上側に曲げ加工されている。この状態で樹脂が射出成形されている。凹部６５、６６は、帯状基板２の帯板２１、２２の端子２３が挿入され、表示板６０の板状の端子６２、６３と電気的に接続される。表示板６０は凹部６５、６６が形成される分だけ厚肉になり、樹脂部６４の表面は平坦面で形成されている。表示板６０は、帯状基板２と同様、取り付け孔６５にねじ部材を挿入して、ねじ込むことで構造体に取り付ける。
【００４９】
本実施形態では、誘導方向を表示する態様として、帯状基板２の先端に接続された表示板６０に略矢印状に配置された複数のＬＥＤチップ３により形成したものであるので、誘導方向の表示が一目瞭然となり好ましい。ＬＥＤチップ３の発光色は任意に設定することができる。表示板６０はコネクタとして形成し、複数個配置することも可能である。
【００５０】
以上の実施形態における誘導方向を表示する態様は、個々に使用することができるが、これに限られず、二つ以上の態様を適宜組み合わせて使用することもできる。
【００５１】
本発明の第５の実施形態を図１５〜１７に示す。図１５に示すように、二つの帯状基板２を、コネクタ１１を介して電気的に接続する実施形態を示す。かかる構成であれば帯状基板２の長さを延長することができ、長大な誘導用照明装置１を提供することが可能となる。コネクタ１１の対向面のそれぞれには、帯状基板２の二つの雄型端子２３と適合する正極用および負極用の雌型端子１２が設けられている。隣接する二つの基板２の各雄型端子２３をコネクタ１１の各雌型端子１２に挿入することで、正極側の帯板２１同士および負極側の帯板２２同士を通電可能に接続することができる。この場合、図１６に示すように、帯状基板２の両端に端子２３を形成するのが望ましい。
【００５２】
このように二枚の帯状基板２を、コネクタ１１を介して接続した後、帯状基板２がコネクタ１１から脱落しないように、コネクタ１１と各基板２との間に機械的な抜け止め構造を設けるのが好ましい。
【００５３】
また、上記のようにコネクタ１１を用いて帯状基板２を連結する場合には、図１７に示すように、電源部４を構成する電池４１、スイッチ４２、スイッチ制御部４３、および検知部４４をコネクタ１１で保持するのが好ましい。このコネクタ１１は、電源部４の各部品間で所定の配線を行った後、これらを雌型端子１２と共に型内にインサートし、樹脂で射出成形することにより容易に製作することができる。
【００５４】
図１７に示すように二以上のコネクタ１１を用いて三枚以上の帯状基板２を連結する場合、検知部４４は誘導用照明装置１全体で一つあれば足りる。従って、何れか一つのコネクタ１１に検知部４４を設けた場合は、他のコネクタ１１では検知部４４を省略することができる。この場合、他のコネクタ１１には、電池４１、スイッチ４２、およびスイッチ制御部４３が設けられる。各コネクタ１１に設けたスイッチ制御部４３間で制御信号を伝達するため、本体部５にはバイパス配線５３が設けられる。この信号配線用のバイパス配線５３は、図１８に示すように帯状基板２に別の帯板３０を追加することで構成することができる。すなわち正極側の帯板２１および負極側の帯板２２と平行に新たにバイパス用帯板３０を配置し、これらの帯板２１、２２、３０を射出成形機７（図７参照）に供給し、樹脂部２４で一体に保持することにより、図１８に示す帯状基板２を製作することができる。
【００５５】
なお、図１７では、各コネクタ１１に電池４１を設けているが、誘導用照明装置１全体で一つの電池４１を使用することもできる。この場合、スイッチ４２およびスイッチ制御部４３も誘導用照明装置１全体で一つあれば足りる。そのため、図１８に示すバイパス用帯板３０を有する帯状基板２を使用する必要はなく、図１６に示す帯状基板２を使用すれば足りる。
【００５６】
以上の実施形態の誘導用照明装置１は、非常用の例を示したが、本誘導用照明装置１は、非常用に限られず、常時点灯するものにも適用できる。この場合には商用電源を利用することができる。
【００５７】
以上に述べた本発明にかかる誘導用照明装置１の構成や使用態様、および機能は一例にすぎない。例えば以上の説明では、帯状基板２を平面状の被装着面に取り付ける場合を説明したが被装着面の形状は任意であり、曲面状の被装着面に帯状基板２を取り付けることができる。
【００５８】
また、以上の説明では、検知部４４としてセンサを使用しているが、検知部４４にはセンサ以外も使用することができる。例えば商用電源の配線中にその停電を検知可能な検知部４４を組み込むこともでき、かかる構成であれば商用電源の停電時に自動点灯する誘導照明装置１を提供することが可能となる。
【００５９】
本発明は前述した実施形態に何ら限定されるものではなく、本発明の要旨を逸脱しない範囲内において、さらに種々の形態で実施し得ることは勿論のことであり、本発明の範囲は、特許請求の範囲によって示され、さらに特許請求の範囲に記載の均等の意味、および範囲内のすべての変更を含む。
【符号の説明】
【００６０】
１      誘導用照明装置
２      帯状基板
３      ＬＥＤチップ
４      電源部
５      本体部
７      射出成形機
８      構造体
１０    封止材
１１    コネクタ
２１    正極側帯板
２２    負極側帯板
２３    端子
２４    樹脂部
２６    窓部
２７    端子
４１    電池
４２    スイッチ
４３    スイッチ制御部
４４    検知部
５１    正極側配線
５２    負極側配線
５３    バイパス配線
６０    表示板
８１    溝
８２    被装着面
【図１】
2013254655.tif 000003
【図２】
2013254655.tif 000004
【図３】
2013254655.tif 000005
【図４】
2013254655.tif 000006
【図５】
2013254655.tif 000007
【図６】
2013254655.tif 000008
【図７】
2013254655.tif 000009
【図８】
2013254655.tif 000010
【図９】
2013254655.tif 000011
【図１０】
2013254655.tif 000012
【図１１】
2013254655.tif 000013
【図１２】
2013254655.tif 000014
【図１３】
2013254655.tif 000015
【図１４】
2013254655.tif 000016
【図１５】
2013254655.tif 000017
【図１６】
2013254655.tif 000018
【図１７】
2013254655.tif 000019
【図１８】
2013254655.tif 000020
【手続補正書】
【提出日】平成24年9月21日(2012.9.21)
【手続補正１】
【補正対象書類名】明細書
【補正対象項目名】０００２
【補正方法】変更
【補正の内容】
【０００２】
ＬＥＤを装着するための基板の一例が特許文献１に記載されている。この基板は、導電性金属からなる正極用および負極用の帯板、並びに射出成形され、両帯板を絶縁状態で一体に保持する樹脂部を有する。この基板の一面には、その延びる方向に離間して複数の発光ダイオード（ＬＥＤ）が装着される。